(57)【要約】【課題】  複数の予約情報が登録されている状態において、予約録画の重複が検出できた場合、予約録画の重複を解消し、予約録画を実施する。【解決手段】  放送信号に含まれる電子番組情報を取得する番組情報取得部３と、電子番組表を用いて登録した複数の予約情報を登録する予約情報蓄積部５と、予約情報蓄積部５に登録されている予約情報に基づき、予約録画を実施する録画制御部４とを備える録画制御装置１において、予約録画の重複が検出できた場合、予約録画の重複数による録画の優先順位の設定、または再放送が行われる頻度を条件として録画の優先順位を設定する。録画の優先順位を低く設定した予約情報の再放送を検出し、再放送が放送される時間に予約情報を自動的に変更する。【選択図】  図１
2007067804.tif 000002
【特許請求の範囲】
【請求項１】
放送信号を受信し、受信した放送信号に含まれる電子番組情報を取得し、前記電子番組情報を基に電子番組表を構築して表示し、ユーザからの入力操作により前記電子番組表を用いて複数の予約情報を登録し、登録されている予約情報を予約登録リストとして表示するとともに、予約情報に基づいて予約録画を実施する自動予約録画方法であって、
前記登録されている複数の予約情報の録画開始時間、録画終了時間から予約録画の重複を検出する録画重複検出工程と、
前記予約情報の録画の優先順位を設定する録画優先順位決定工程と、
電子番組情報に含まれる再放送を示す識別子、番組タイトル、番組のジャンル、放送時間、系列局などの一致から、前記録画優先順位決定工程において録画の優先順位を低く設定した予約情報の再放送を検出する再放送検出工程と、
前記再放送検出工程において、再放送が検出できたときで、録画の優先順位を低く設定した予約情報を再放送が放送される時間に変更しても予約録画の重複が検出されないとき、録画の優先順位を低く設定した予約情報を再放送が放送される時間に自動的に変更する自動予約変更工程と、
前記再放送検出工程において、再放送は検出できたが、録画の優先順位を低く設定した予約情報を再放送が放送される時間に変更すると、予約録画の重複が検出されるとき、または再放送の検出ができないとき、録画の優先順位を低く設定した予約情報を予約録画が実施できない予約録画実施不可情報として予約録画未完了情報蓄積部に蓄積する予約録画未完了情報蓄積工程とを含む自動予約録画方法。
【請求項２】
前記録画優先順位決定工程は、前記録画重複検出工程において、予約録画の重複が検出されたとき、登録された予約情報毎の予約録画の重複数を算出し、予約録画の重複数の多い予約情報の録画の優先順位を低く設定し、
前記自動予約変更工程は、前記再放送検出工程において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が少ないとき、録画の優先順位を低く設定した予約情報を再放送が放送される時間に自動的に変更し、
前記予約録画未完了情報蓄積工程は、前記再放送検出工程において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が多いとき、または両者の予約録画の重複数が等しいとき、録画の優先順位を低く設定した予約情報を予約録画が実施できない予約録画実施不可情報として予約録画未完了情報蓄積部に蓄積する請求項１記載の自動予約録画方法。
【請求項３】
前記録画優先順位決定工程は、電子番組情報に含まれる番組のジャンル、再放送を示す識別子、番組の放送形式（有料放送）などに対して再放送が行われる頻度を予め条件として定め、この条件によって録画の優先順位を設定することを特徴とする請求項１記載の自動予約録画方法。
【請求項４】
前記録画優先順位決定工程は、前記再放送検出工程による再放送の検出結果を番組のジャンル、番組の放送形式毎に蓄積し、その分布率から予め条件として定めた再放送が行われる頻度を学習し、その学習した条件によって録画の優先順位を設定することを特徴とする請求項１または２記載の自動予約録画方法。
【請求項５】
前記録画優先順位決定工程は、電子番組表を用いて予約情報を登録する際に予約録画を毎日実施するように設定したとき、録画の優先順位を高く設定することを特徴とする請求項１，２または３記載の自動予約録画方法。
【請求項６】
前記録画優先順位決定工程は、電子番組表を用いて予約情報を登録する際に予約録画を毎週実施するように設定した予約情報の録画の優先順位を低く設定したとき、予約情報に含まれる録画開始時間から1週間後までの電子番組情報において、再放送が検出できないとき、または再放送の検出はできたが予約情報を再放送が放送される時間に変更すると予約録画の重複が検出できるとき、録画の優先順位が高くなるように再度設定することを特徴とする請求項１，２または３記載の自動予約録画方法。
【請求項７】
前記自動予約変更工程は、前記予約録画未完了情報蓄積工程において、電子番組情報の更新時に前記再放送検出工程により、予約録画未完了情報蓄積部に蓄積されている予約録画実施不可情報に対して再放送を検出し、再放送が検出できたとき、再放送が放送される時間に自動的に予約情報を登録することを特徴とする請求項１，２または３記載の自動予約録画方法。
【請求項８】
前記予約録画未完了情報蓄積工程は、予約録画未完了情報蓄積部に蓄積されている予約録画実施不可情報が蓄積可能な最大数を超過したとき、前記録画優先順位決定工程によって決定される録画の優先順位に従い、録画の優先順位が低く設定された予約録画実施不可情報を予約録画未完了情報蓄積部から削除することを特徴とする請求項１，２または３記載の自動予約録画方法。
【請求項９】
前記予約録画未完了情報蓄積工程は、電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除することを特徴とする請求項１，２または３記載の自動予約録画方法。
【請求項１０】
前記自動予約変更工程は、予約情報を自動的に変更したことを示すアイコン等を電子番組表や予約登録リストに表示することを特徴とする請求項１，２または３記載の自動予約録画方法。
【請求項１１】
前記自動予約変更工程は、予約録画未完了情報蓄積部に蓄積されている予約録画実施不可情報を自動的に予約情報として登録したことを示すアイコン等を電子番組表や予約登録リストに表示することを特徴とする請求項７記載の自動予約録画方法。
【請求項１２】
前記予約録画未完了情報蓄積工程は、予約録画未完了情報蓄積部に蓄積されている予約録画実施不可情報を自動的に削除したことを示すメッセージを電子番組表や予約登録リストに表示することを特徴とする請求項８または９記載の自動予約録画方法。
【請求項１３】
前記再放送検出工程は、受信した放送信号に含まれる８日分の電子番組情報から再放送が検出できないとき、放送局の持つ放送局番組情報に直接アクセスして、再放送の検出を行うことを特徴とする請求項１，２または３記載の自動予約録画方法。
【請求項１４】
放送信号を受信するチューナ部と、受信した放送信号に含まれる電子番組情報を取得する番組情報取得部と、ユーザからの入力を受ける操作部と、前記番組情報取得部によって得られた電子番組情報を基に電子番組表を構築して表示する表示制御部と、前記操作部で受けたユーザからの操作により前記電子番組表を用いて複数の予約情報を登録することおよび登録されている予約情報を予約登録リストとして前記表示制御部に表示することができる予約情報蓄積部と、前記予約情報蓄積部に登録されている予約情報に基づき、予約録画を実施する録画制御部とを有する録画制御装置において、
前記予約情報蓄積部に登録されている複数の予約情報の録画開始時間、録画終了時間から予約録画の重複を検出する録画重複検出手段と、
前記予約情報の録画の優先順位を設定する録画優先順位決定手段と、
電子番組情報に含まれる再放送を示す識別子、番組タイトル、番組のジャンル、放送時間、系列局などの一致から、前記録画優先順位決定手段において録画の優先順位を低く設定した予約情報の再放送を検出する再放送検出手段と、
前記再放送検出手段において、再放送が検出できたときで、録画の優先順位を低く設定した予約情報を再放送が放送される時間に変更しても予約録画の重複が検出されないとき、録画の優先順位を低く設定した予約情報を再放送が放送される時間に自動的に変更する自動予約変更手段と、
前記再放送検出手段において、再放送は検出できたが、録画の優先順位を低く設定した予約情報を再放送が放送される時間に変更すると、予約録画の重複が検出されるとき、または再放送の検出ができないとき、録画の優先順位を低く設定した予約情報を予約録画が実施できない予約録画実施不可情報として予約録画未完了情報蓄積部に蓄積する予約録画未完了情報蓄積手段とを備えた自動予約録画装置。
【請求項１５】
前記録画優先順位決定手段は、前記録画重複検出手段において、予約録画の重複が検出されたとき、登録された予約情報毎の予約録画の重複数を算出し、予約録画の重複数の多い予約情報の録画の優先順位を低く設定し、
前記自動予約変更手段は、前記再放送検出手段において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が少ないとき、録画の優先順位を低く設定した予約情報を再放送が放送される時間に自動的に変更し、
前記予約録画未完了情報蓄積手段は、前記再放送検出手段において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が多いとき、または両者の予約録画の重複数が等しいとき、録画の優先順位を低く設定した予約情報を予約録画が実施できない予約録画実施不可情報として予約録画未完了情報蓄積部に蓄積する請求項１４記載の自動予約録画装置。
【請求項１６】
前記録画優先順位決定手段は、電子番組情報に含まれる番組のジャンル、再放送を示す識別子、番組の放送形式（有料放送）などに対して再放送が行われる頻度を予め条件として定め、この条件によって録画の優先順位を設定することを特徴とする請求項１４記載の自動予約録画装置。
【請求項１７】
前記録画優先順位決定手段は、前記再放送検出手段による再放送の検出結果を番組のジャンル、番組の放送形式毎に蓄積し、その分布率から予め条件として定めた再放送が行われる頻度を学習し、その学習した条件によって録画の優先順位を設定することを特徴とする請求項１４または１５記載の自動予約録画装置。
【請求項１８】
前記録画優先順位決定手段は、電子番組表を用いて予約情報を登録する際に予約録画を毎日実施するように設定したとき、録画の優先順位を高く設定することを特徴とする請求項１４，１５または１６記載の自動予約録画装置。
【請求項１９】
前記録画優先順位決定手段は、電子番組表を用いて予約情報を登録する際に予約録画を毎週実施するように設定した予約情報の録画の優先順位を低く設定したとき、予約情報に含まれる録画開始時間から1週間後までの電子番組情報において、再放送が検出できないとき、または再放送の検出はできたが予約情報を再放送が放送される時間に変更すると予約録画の重複が検出できるとき、録画の優先順位が高くなるように再度設定することを特徴とする請求項１４，１５または１６記載の自動予約録画装置。
【請求項２０】
前記自動予約変更手段は、前記予約録画未完了情報蓄積手段において、電子番組情報の更新時に前記再放送検出手段により、予約録画未完了情報蓄積部に蓄積されている予約録画実施不可情報に対して再放送を検出し、再放送が検出できたとき、再放送が放送される時間に自動的に予約情報を登録することを特徴とする請求項１４，１５または１６記載の自動予約録画装置。
【請求項２１】
前記予約録画未完了情報蓄積手段は、予約録画未完了情報蓄積部に蓄積されている予約録画実施不可情報が蓄積可能な最大数を超過したとき、前記優先順位決定手段によって決定される録画の優先順位に従い、録画の優先順位が低く設定された予約録画実施不可情報を予約録画未完了情報蓄積部から削除することを特徴とする請求項１４，１５または１６記載の自動予約録画装置。
【請求項２２】
前記予約録画未完了情報蓄積手段は、電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除することを特徴とする請求項１４，１５または１６記載の自動予約録画装置。
【請求項２３】
前記自動予約変更手段は、予約情報を自動的に変更したことを示すアイコン等を電子番組表や予約登録リストに表示することを特徴とする請求項１４，１５または１６記載の自動予約録画装置。
【請求項２４】
前記自動予約変更手段は、予約録画未完了情報蓄積部に蓄積されている予約録画実施不可情報を自動的に予約情報として登録したことを示すアイコン等を電子番組表や予約登録リストに表示することを特徴とする請求項２０記載の自動予約録画装置。
【請求項２５】
前記予約録画未完了情報蓄積手段は、予約録画未完了情報蓄積部に蓄積されている予約録画実施不可情報を自動的に削除したことを示すメッセージを電子番組表や予約登録リストに表示することを特徴とする請求項２１または２２記載の自動予約録画装置。
【請求項２６】
前記再放送検出手段は、受信した放送信号に含まれる８日分の電子番組情報から再放送が検出できないとき、放送局の持つ放送局番組情報に直接アクセスして、再放送の検出を行うことを特徴とする請求項１４，１５または１６記載の自動予約録画装置。
【発明の詳細な説明】
【技術分野】
【０００１】
本発明は、放送信号に含まれる電子番組情報を用いた電子番組表（ＥＰＧ）を表示することが可能な録画制御装置に係わり、テレビジョン番組の予約録画を制御する自動予約録画方法および装置に関する。
【背景技術】
【０００２】
近年、放送信号に含まれる電子番組情報を用いた電子番組表（ＥＰＧ）を表示することが可能な録画制御装置によって、ユーザはテレビジョン画面上で、視聴したい番組を選択することや、録画したい番組を選択することが可能となっている。この電子番組情報には各番組の放送チャンネル、放送開始時間、番組タイトル、番組のジャンル、再放送を示す識別子、番組内容、出演者等の情報が含まれており、ユーザからの操作によって特定のジャンルやキーワードを指定することで電子番組情報を用いた番組の検索を行うことが可能となっている。このような電子番組表の機能を用いて予約録画を行うことが一般的になっている。
【０００３】
また、ディジタル技術の発展により、地上波においてもディジタル放送が開始され、視聴可能なテレビジョン番組の多チャンネル化に伴い、既に放送された番組の再放送が放送される場合が増えている。
【０００４】
しかし、従来の録画制御装置では、録画したい番組として登録した予約情報と既に登録されている予約情報との間で、予約録画を実施する時間帯が重なることによる予約録画の重複を検出した場合、ユーザに対して予約録画の重複を検出したことを通知するのみであった。また、予約録画の重複が発生している時間帯における録画の優先順位は各装置で一義的に設定され、それに従って予約録画が実施されている。
【０００５】
そこで、従来技術では、予約録画の重複を検出した場合、電子番組情報を用いて再放送を検出し、再放送の放送時間に予約情報を変更することで、予約録画の重複を解消する方法が存在する（特許文献１参照）。
【０００６】
さらに、他の従来技術では再放送を検出する方法として、電子番組情報に再放送を示す識別子がない場合、番組タイトルが全てまたはほとんど一致したことで再放送として検出する方法が存在する（特許文献２参照）。
【特許文献１】特開２００４−７７５７号公報
【特許文献２】特開２００３−３３３４８１号公報
【発明の開示】
【発明が解決しようとする課題】
【０００７】
一般的な録画制御装置では放送信号を受信する装置を１つしか持たないため、同一時間帯で複数の予約録画を実施することはできない。このような録画制御装置では、複数の予約情報が登録されている状態において、予約録画の重複を検出した場合、予約録画の重複が発生している時間帯では、録画の優先順位を一義的に設定し、設定した優先順位の高い予約情報の予約録画を実施している。そのため、録画の優先順位を低く設定した予約情報の予約録画は実施されないという課題があった。
【０００８】
この課題に対し、上記従来技術は、予約録画の重複を検出した場合、電子番組情報を用いて再放送を検出し、再放送が放送される時間に予約情報を変更することで、予約録画の重複を解消する方法であり、再放送が放送される時間に予約情報を変更すると、同一時間帯に既に登録されている予約情報との間で予約録画の重複が検出される場合、どちらか一方の予約情報の予約録画が実施されない、またはどちらか一方の予約情報の再放送を検出し、再放送が放送される時間に予約情報を変更するという工程を繰り返すという課題があった。
【０００９】
また、電子番組情報に再放送を示す識別子がない場合、番組タイトルが全てまたはほとんど一致したことで再放送として検出する方法では、毎週放送されるドラマなど、同一タイトルでも番組内容が異なる場合、目的とは別の番組を誤って再放送として検出するという課題があった。
【００１０】
また、放送信号に含まれる電子番組情報は８日間という限られた期間の情報しか取得できないため、再放送を検出する際に用いる場合、再放送を検出できる範囲は限られるという課題があった。
【００１１】
したがって、本発明の目的は、複数の予約情報が登録されている状態において、同一時間帯に既に登録されている予約情報との間で予約録画の重複が検出される場合、どちらか一方の予約情報の予約録画が実施されない、またはどちらか一方の予約情報の再放送を検出し、再放送が放送される時間に予約情報を変更するという工程を繰り返すことがない自動予約録画方法および装置を提供することである。
【課題を解決するための手段】
【００１２】
一般的な録画制御装置では複数の予約情報が登録されている状態において、予約録画の重複を検出した場合、録画の優先順位は一義的に設定されていたが、本発明に係る録画制御装置では、予約録画の重複数による録画の優先順位の設定、または番組のジャンル、再放送を示す識別子、番組の放送形式（有料放送）などに対して定めた再放送が行われる頻度を条件とした録画の優先順位の設定を行う。電子番組情報を用いて録画の優先順位を低く設定した予約情報の再放送を検出し、再放送が検出できた場合、録画の優先順位を低く設定した予約情報を再放送が放送される時間に自動的に変更する。
【００１３】
さらに、録画の優先順位を低く設定した予約情報を再放送が放送される時間に変更すると予約録画の重複が検出される場合、予約録画の重複数を比較し、予約情報を変更するかどうかを判断することで、再放送が放送される時間に予約情報を変更するという工程を繰り返すことがないようにする。
【００１４】
以上の方法を用いて録画の優先順位を低く設定した予約情報についても予約録画を実施する。
【００１５】
さらに、再放送の検出方法としては、電子番組情報に含まれる再放送を示す識別子、番組タイトル、番組のジャンル、放送時間、系列局などの一致により、再放送の検出を行い、より確度の高い再放送の検出を行う。
【００１６】
さらに、放送信号に含まれる電子番組情報が８日分という期間の情報では、再放送を検出できる範囲は限られているため、電子番組情報の提供元である放送局の持つ放送局番組情報に直接アクセスすることで、より長期間の情報に対して再放送の検出を行う。
【００１７】
すなわち、本発明の請求項１記載の自動予約録画方法は、放送信号を受信し、受信した放送信号に含まれる電子番組情報を取得し、前記電子番組情報を基に電子番組表を構築して表示し、ユーザからの入力操作により前記電子番組表を用いて複数の予約情報を登録し、登録されている予約情報を予約登録リストとして表示するとともに、予約情報に基づいて予約録画を実施する自動予約録画方法であって、前記登録されている複数の予約情報の録画開始時間、録画終了時間から予約録画の重複を検出する録画重複検出工程と、前記予約情報の録画の優先順位を設定する録画優先順位決定工程と、電子番組情報に含まれる再放送を示す識別子、番組タイトル、番組のジャンル、放送時間、系列局などの一致から、前記録画優先順位決定工程において録画の優先順位を低く設定した予約情報の再放送を検出する再放送検出工程と、前記再放送検出工程において、再放送が検出できたときで、録画の優先順位を低く設定した予約情報を再放送が放送される時間に変更しても予約録画の重複が検出されないとき、録画の優先順位を低く設定した予約情報を再放送が放送される時間に自動的に変更する自動予約変更工程と、前記再放送検出工程において、再放送は検出できたが、録画の優先順位を低く設定した予約情報を再放送が放送される時間に変更すると、予約録画の重複が検出されるとき、または再放送の検出ができないとき、録画の優先順位を低く設定した予約情報を予約録画が実施できない予約録画実施不可情報として予約録画未完了情報蓄積部に蓄積する予約録画未完了情報蓄積工程とを含む。
【００１８】
上記の構成によれば、複数の予約情報が登録されている状態において、予約録画の重複が検出できた場合、予約録画の重複を解消し、予約録画を実施する。また、再放送が放送される時間に予約情報を変更すると、同一時間帯に既に登録されている予約情報との間で予約録画の重複が検出される場合、録画の優先順位を低く設定した予約情報を予約録画が実施できない予約録画実施不可情報として予約録画未完了情報蓄積部に蓄積することにより、どちらか一方の予約情報の予約録画が実施されない、またはどちらか一方の予約情報の再放送を検出し、再放送が放送される時間に予約情報を変更するという工程を繰り返すということがない。
【００１９】
請求項２記載の自動予約録画方法は、請求項１記載の自動予約録画方法において、前記録画優先順位決定工程は、前記録画重複検出工程において、予約録画の重複が検出されたとき、登録された予約情報毎の予約録画の重複数を算出し、予約録画の重複数の多い予約情報の録画の優先順位を低く設定し、前記自動予約変更工程は、前記再放送検出工程において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が少ないとき、録画の優先順位を低く設定した予約情報を再放送が放送される時間に自動的に変更し、前記予約録画未完了情報蓄積工程は、前記再放送検出工程において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が多いとき、または両者の予約録画の重複数が等しいとき、録画の優先順位を低く設定した予約情報を予約録画が実施できない予約録画実施不可情報として予約録画未完了情報蓄積部に蓄積する。
【００２０】
上記のように再放送が放送される時間に予約情報を変更する場合、予約情報を変更した時点における予約録画の重複数は予約情報を登録した時点での予約録画の重複数よりも必ず少なくなるため、予約録画の重複を検出し、録画の優先順位を低く設定した予約情報の再放送を検出し、再放送が放送される時間に予約情報を変更するという工程を繰り返すことなく、予約録画の重複を解消し、複数の予約情報の予約録画を実施することができる。
【００２１】
請求項３記載の自動予約録画方法は、請求項１記載の自動予約録画方法において、前記録画優先順位決定工程は、電子番組情報に含まれる番組のジャンル、再放送を示す識別子、番組の放送形式（有料放送）などに対して再放送が行われる頻度を予め条件として定め、この条件によって録画の優先順位を設定する。
【００２２】
上記のように録画の優先順位を設定し、請求項１記載の再放送検出工程によって録画の優先順位を低く設定した予約情報の再放送を検出し、再放送が検出できた場合に再放送が放送される時間に予約情報を自動的に変更することで、予約録画の重複を解消し、複数の予約情報の予約録画を実施することができる。この場合、再放送の検出方法として、電子番組情報に含まれる再放送を示す識別子、番組タイトル、番組のジャンル、放送時間、系列局などの一致により、再放送の検出を行い、より確度の高い再放送の検出を行うことができる。
【００２３】
請求項４記載の自動予約録画方法は、請求項１または２記載の自動予約録画方法において、前記録画優先順位決定工程は、前記再放送検出工程による再放送の検出結果を番組のジャンル、番組の放送形式毎に蓄積し、その分布率から予め条件として定めた再放送が行われる頻度を学習し、その学習した条件によって録画の優先順位を設定する。
【００２４】
上記のように録画の優先順位を設定することで、請求項１記載の再放送検出工程において再放送が検出できる確度が向上する。
【００２５】
請求項５記載の自動予約録画方法は、請求項１または２記載の自動予約録画方法において、前記録画優先順位決定工程は、電子番組表を用いて予約情報を登録する際に予約録画を毎日実施するように設定したとき、録画の優先順位を高く設定する。
【００２６】
上記のように予約録画を毎日実施するように設定したとき、録画の優先順位を高く設定するのは、予約情報に含まれる録画開始時間から１日後までの電子番組情報からその予約情報の再放送を検出できる可能性は低いためである。これにより、予約録画を毎日実施するように登録した予約情報の録画の優先順位が低く設定され、予約録画実施不可情報として予約録画未完了情報蓄積部に蓄積されることはない。
【００２７】
請求項６記載の自動予約録画方法は、請求項１または２記載の自動予約録画方法において、前記録画優先順位決定工程は、電子番組表を用いて予約情報を登録する際に予約録画を毎週実施するように設定した予約情報の録画の優先順位を低く設定したとき、予約情報に含まれる録画開始時間から1週間後までの電子番組情報において、再放送が検出できないとき、または再放送の検出はできたが予約情報を再放送が放送される時間に変更すると予約録画の重複が検出できるとき、録画の優先順位が高くなるように再度設定する。
【００２８】
上記のように予約録画を毎週実施するように設定した予約情報の録画の優先順位を低く設定したとき、予約情報に含まれる録画開始時間から1週間後までの電子番組情報において、再放送が検出できないとき、または再放送の検出はできたが予約情報を再放送が放送される時間に変更すると予約録画の重複が検出できるとき、録画の優先順位が高くなるように再度設定することで、予約録画を毎週実施するように登録した予約情報の録画の優先順位が低く設定され、予約録画実施不可情報として予約録画未完了情報蓄積部に蓄積されることはない。
【００２９】
請求項７記載の自動予約録画方法は、請求項１または２記載の自動予約録画方法において、前記自動予約変更工程は、前記予約録画未完了情報蓄積工程において、電子番組情報の更新時に前記再放送検出工程により、予約録画未完了情報蓄積部に蓄積されている予約録画実施不可情報に対して再放送を検出し、再放送が検出できたとき、再放送が放送される時間に自動的に予約情報を登録する。
【００３０】
上記のように電子番組情報の更新時に再放送検出工程により、予約録画未完了情報蓄積部に蓄積されている予約録画実施不可情報に対して再放送を検出し、再放送が検出できたとき、再放送が放送される時間に自動的に予約情報を登録することで、予約未完了情報蓄積部に蓄積されている予約録画実施付加情報に対しても予約録画を実施できる。
【００３１】
請求項８記載の自動予約録画方法は、請求項１または２記載の自動予約録画方法において、前記予約録画未完了情報蓄積工程は、予約録画未完了情報蓄積部に蓄積されている予約録画実施不可情報が蓄積可能な最大数を超過したとき、前記録画優先順位決定工程によって決定される録画の優先順位に従い、録画の優先順位が低く設定された予約録画実施不可情報を予約録画未完了情報蓄積部から削除する。
【００３２】
上記のように予約録画未完了情報蓄積部に蓄積されている予約録画未実施情報が蓄積可能な最大数を超過したとき、録画優先順位決定工程によって決定される録画の優先順位に従い、録画の優先順位を低く設定した予約録画実施不可情報を予約録画未完了情報蓄積部から削除することで、予約録画実施不可情報が予約録画未完了情報蓄積部に蓄積可能な最大数を超過しない。
【００３３】
請求項９記載の自動予約録画方法は、請求項１または２記載の自動予約録画方法において、前記予約録画未完了情報蓄積工程は、電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除する。
【００３４】
上記のように電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除することで、予約録画実施不可情報が長期間に渡り予約録画未完了情報蓄積部に蓄積されない。
【００３５】
請求項１０記載の自動予約録画方法は、請求項１または２記載の自動予約録画方法において、前記自動予約変更工程は、予約情報を自動的に変更したことを示すアイコン等を電子番組表や予約登録リストに表示する。
【００３６】
上記のように予約情報を自動的に変更したことを示すアイコン等を電子番組表や予約登録リストに表示することで、予約情報が自動的に変更されたことを認知できる。
【００３７】
請求項１１記載の自動予約録画方法は、請求項７記載の自動予約録画方法において、前記自動予約変更工程は、予約録画未完了情報蓄積部に蓄積されている予約録画実施不可情報を自動的に予約情報として登録したことを示すアイコン等を電子番組表や予約登録リストに表示する。
【００３８】
上記のように予約録画未完了情報蓄積部に蓄積されている予約録画実施不可情報を自動的に予約情報として登録したことを示すアイコン等を電子番組表や予約登録リストに表示することで、予約情報が自動的に登録されたことを認知できる。
【００３９】
請求項１２記載の自動予約録画方法は、請求項８または９記載の自動予約録画方法において、前記予約録画未完了情報蓄積工程は、予約録画未完了情報蓄積部に蓄積されている予約録画実施不可情報を自動的に削除したことを示すメッセージを電子番組表や予約登録リストに表示する。
【００４０】
上記のように予約録画未完了情報蓄積部に蓄積されている予約録画実施不可情報を自動的に削除したことを示すメッセージを電子番組表や予約登録リストに表示することで、予約録画実施不可情報が自動的に削除されたことを認知できる。
【００４１】
請求項１３記載の自動予約録画方法は、請求項１，２または３記載の自動予約録画方法において、前記再放送検出工程は、受信した放送信号に含まれる８日分の電子番組情報から再放送が検出できないとき、放送局の持つ放送局番組情報に直接アクセスして、再放送の検出を行う。
【００４２】
上記のように受信した放送信号に含まれる８日分の電子番組情報から再放送が検出できないとき、放送局の持つ放送局番組情報に直接アクセスすることで、より長期間の再放送の検出ができる。
【００４３】
請求項１４記載の自動予約録画装置は、放送信号を受信するチューナ部と、受信した放送信号に含まれる電子番組情報を取得する番組情報取得部と、ユーザからの入力を受ける操作部と、前記番組情報取得部によって得られた電子番組情報を基に電子番組表を構築して表示する表示制御部と、前記操作部で受けたユーザからの操作により前記電子番組表を用いて複数の予約情報を登録することおよび登録されている予約情報を予約登録リストとして前記表示制御部に表示することができる予約情報蓄積部と、前記予約情報蓄積部に登録されている予約情報に基づき、予約録画を実施する録画制御部とを有する録画制御装置において、前記予約情報蓄積部に登録されている複数の予約情報の録画開始時間、録画終了時間から予約録画の重複を検出する録画重複検出手段と、前記予約情報の録画の優先順位を設定する録画優先順位決定手段と、電子番組情報に含まれる再放送を示す識別子、番組タイトル、番組のジャンル、放送時間、系列局などの一致から、前記録画優先順位決定手段において録画の優先順位を低く設定した予約情報の再放送を検出する再放送検出手段と、前記再放送検出手段において、再放送が検出できたときで、録画の優先順位を低く設定した予約情報を再放送が放送される時間に変更しても予約録画の重複が検出されないとき、録画の優先順位を低く設定した予約情報を再放送が放送される時間に自動的に変更する自動予約変更手段と、前記再放送検出手段において、再放送は検出できたが、録画の優先順位を低く設定した予約情報を再放送が放送される時間に変更すると、予約録画の重複が検出されるとき、または再放送の検出ができないとき、録画の優先順位を低く設定した予約情報を予約録画が実施できない予約録画実施不可情報として予約録画未完了情報蓄積部に蓄積する予約録画未完了情報蓄積手段とを備えた。この構成により請求項１記載の自動予約録画方法を実現でき、同様の効果が得られる。
【００４４】
請求項１５記載の自動予約録画装置は、請求項１４記載の自動予約録画装置において、前記録画優先順位決定手段は、前記録画重複検出手段において、予約録画の重複が検出されたとき、登録された予約情報毎の予約録画の重複数を算出し、予約録画の重複数の多い予約情報の録画の優先順位を低く設定し、前記自動予約変更手段は、前記再放送検出手段において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が少ないとき、録画の優先順位を低く設定した予約情報を再放送が放送される時間に自動的に変更し、前記予約録画未完了情報蓄積手段は、前記再放送検出手段において、再放送は検出できたが、録画の優先順位を低く設定した予約情報を再放送が放送される時間に変更すると、予約録画の重複が検出され、録画の優先順位を低く設定した予約情報の予約録画の重複数より再放送が放送される時間に変更したときの予約情報の予約録画の重複数が多いとき、または両者の予約録画の重複数が等しいとき、録画の優先順位を低く設定した予約情報を予約録画が実施できない予約録画実施不可情報として予約録画未完了情報蓄積部に蓄積する。
【００４５】
上記のように再放送が放送される時間に予約情報を変更する場合、予約情報を変更した時点における予約録画の重複数は予約情報を登録した時点での予約録画の重複数よりも必ず少なくなるため、予約録画の重複を検出し、録画の優先順位を低く設定した予約情報の再放送を検出し、再放送が放送される時間に予約情報を変更するという手段を繰り返すことなく、予約録画の重複を解消し、複数の予約情報の予約録画を実施することができる。
【００４６】
請求項１６記載の自動予約録画装置は、請求項１４記載の自動予約録画装置において、前記録画優先順位決定手段は、電子番組情報に含まれる番組のジャンル、再放送を示す識別子、番組の放送形式（有料放送）などに対して再放送が行われる頻度を予め条件として定め、この条件によって録画の優先順位を設定する。
【００４７】
上記のように請求項１５記載の再放送検出手段によって録画の優先順位を低く設定した予約情報の再放送を検出し、再放送が検出できた場合に再放送が放送される時間に予約情報を自動的に変更することで、予約録画の重複を解消し、複数の予約情報の予約録画を実施することができる。この場合、再放送の検出方法として、電子番組情報に含まれる再放送を示す識別子、番組タイトル、番組のジャンル、放送時間、系列局などの一致により、再放送の検出を行い、より確度の高い再放送の検出を行うことができる。
【００４８】
請求項１７記載の自動予約録画装置は、請求項１４または１５記載の自動予約録画装置において、前記録画優先順位決定手段は、前記再放送検出手段による再放送の検出結果を番組のジャンル、番組の放送形式毎に蓄積し、その分布率から予め条件として定めた再放送が行われる頻度を学習し、その学習した条件によって録画の優先順位を設定する。
【００４９】
上記のように録画の優先順位に設定することで、請求項１３記載の再放送検出手順において再放送が検出できる確度が向上する。
【００５０】
請求項１８記載の自動予約録画装置は、請求項１４，１５または１６記載の自動予約録画装置において、前記録画優先順位決定手段は、電子番組表を用いて予約情報を登録する際に予約録画を毎日実施するように設定したとき、録画の優先順位を高く設定する。
【００５１】
上記のように本発明の請求項１６記載の自動予約録画装置は、電子番組表を用いて予約録画を登録する際に予約録画を毎日実施するように設定したとき、録画の優先順位を高く設定するのは、予約情報に含まれる録画開始時間より１日後までの電子番組情報から再放送が検出できる可能性は低いためである。これにより、予約録画を毎日実施するように登録した予約情報の録画の優先順位が低く設定され、予約録画実施不可情報として予約録画未完了情報蓄積部に蓄積されることはない。
【００５２】
請求項１９記載の自動予約録画装置は、請求項１４，１５または１６記載の自動予約録画装置において、前記録画優先順位決定手段は、電子番組表を用いて予約情報を登録する際に予約録画を毎週実施するように設定した予約情報の録画の優先順位を低く設定したとき、予約情報に含まれる録画開始時間から1週間後までの電子番組情報において、再放送が検出できないとき、または再放送の検出はできたが予約情報を再放送が放送される時間に変更すると予約録画の重複が検出できるとき、録画の優先順位が高くなるように再度設定する。
【００５３】
上記のように予約録画を毎週実施するように設定した予約情報の録画の優先順位を低く設定したとき、予約情報に含まれる録画開始時間から1週間後までの電子番組情報において、再放送が検出できないとき、または再放送は検出できたが再放送時に予約情報を変更すると予約録画の重複が検出できるとき、録画の優先順位が高くなるように再度設定することで、予約録画を毎週実施するように登録した予約情報の録画の優先順位が低く設定され、予約録画実施不可情報として予約録画未完了情報蓄積部に蓄積されることはない。
【００５４】
請求項２０記載の自動予約録画装置は、請求項１４，１５または１６記載の自動予約録画装置において、前記自動予約変更手段は、前記予約録画未完了情報蓄積手段において、電子番組情報の更新時に前記再放送検出手段により、予約録画未完了情報蓄積部に蓄積されている予約録画実施不可情報に対して再放送を検出し、再放送が検出できたとき、再放送が放送される時間に自動的に予約情報を登録する。
【００５５】
上記のように電子番組情報の更新時に再放送検出手段により、予約録画未完了情報蓄積部に蓄積されている予約録画実施不可情報に対して再放送を検出し、再放送が検出できたとき、再放送が放送される時間に自動的に予約登録を実施することで、予約未完了情報蓄積部に蓄積されている予約録画実施付加情報に対しても予約録画を実施できる。
【００５６】
請求項２１記載の自動予約録画装置は、請求項１４，１５または１６記載の自動予約録画装置において、前記予約録画未完了情報蓄積手段は、予約録画未完了情報蓄積部に蓄積されている予約録画実施不可情報が蓄積可能な最大数を超過したとき、前記優先順位決定手段によって決定される録画の優先順位に従い、録画の優先順位が低く設定された予約録画実施不可情報を予約録画未完了情報蓄積部から削除する。
【００５７】
上記のように予約録画未完了情報蓄積部に蓄積されている予約録画未実施情報が蓄積可能な最大数を超過したとき、録画優先順位決定手段によって決定される録画の優先順位に従い、録画の優先順位を低く設定した予約録画実施不可情報を予約録画未完了情報蓄積部から削除することで、予約録画実施不可情報が予約録画未完了情報蓄積部に蓄積可能な最大数を超過しない。
【００５８】
請求項２２記載の自動予約録画装置は、請求項１４，１５または１６記載の自動予約録画装置において、前記予約録画未完了情報蓄積手段は、電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除する。
【００５９】
上記のように電子番組情報に含まれる番組のジャンル毎に再放送の検出を行う期間を定め、その期間中に予約録画未完了情報蓄積部に蓄積されている予約録画実施不可情報の再放送が検出できないとき、予約録画実施不可情報を予約録画未完了情報蓄積部から削除することで、予約録画実施不可情報が長期間に渡り予約録画未完了情報蓄積部に蓄積されない。
【００６０】
請求項２３記載の自動予約録画装置は、請求項１４，１５または１６記載の自動予約録画装置において、前記自動予約変更手段は、予約情報を自動的に変更したことを示すアイコン等を電子番組表や予約登録リストに表示する。
【００６１】
上記のように予約情報を自動的に変更したことを示すアイコン等を電子番組表や予約登録リストに表示することで、予約情報が自動的に変更されたことを認知できる。
【００６２】
請求項２４記載の自動予約録画装置は、請求項２０記載の自動予約録画装置において、前記自動予約変更手段は、予約録画未完了情報蓄積部に蓄積されている予約録画実施不可情報を自動的に予約情報として登録したことを示すアイコン等を電子番組表や予約登録リストに表示する。
【００６３】
上記のように予約録画未完了情報蓄積部に蓄積されている予約録画実施不可情報を自動的に予約情報として登録したことを示すアイコン等を電子番組表や予約登録リストに表示することで、予約情報が自動的に登録されたことを認知できる。
【００６４】
請求項２５記載の自動予約録画装置は、請求項２１または２２記載の自動予約録画装置において、前記予約録画未完了情報蓄積手段は、予約録画未完了情報蓄積部に蓄積されている予約録画実施不可情報を自動的に削除したことを示すメッセージを電子番組表や予約登録リストに表示する。
【００６５】
上記のように予約録画未完了情報蓄積部に蓄積されている予約録画実施不可情報を自動的に削除したことを示すメッセージを電子番組表や予約登録リストに表示することで、予約録画実施不可情報が自動的に削除されたことを認知できる。
【００６６】
請求項２６記載の自動予約録画装置は、請求項１４，１５または１６記載の自動予約録画装置において、前記再放送検出手段は、受信した放送信号に含まれる８日分の電子番組情報から再放送が検出できないとき、放送局の持つ放送局番組情報に直接アクセスして、より長期間の再放送の検出を行うことができる。
【００６７】
上記のように受信した放送信号に含まれる８日分の電子番組情報から再放送が検出できないとき、放送局の持つ放送局番組情報に直接アクセスすることで、より長期間の再放送の検出ができる。
【発明の効果】
【００６８】
本発明は電子番組表を用いて予約情報を登録する際に予約録画の重複を検出した場合、予約情報を自動的に変更することで、予約録画の重複を解消できる。また、電子番組情報の更新時に予約情報を変更する際、予約録画の重複を検出した場合にも予約情報を自動的に変更することで、予約録画の重複を解消できる。さらに、停電などの原因により予約録画が実施できない場合、電子番組情報を用いて予約録画が実施できなかった予約情報の再放送を検出し、再放送が検出できた場合、再放送が放送される時間に予約情報を自動的に登録することで予約録画の重複を検出した場合にも予約情報を自動的に変更することで、予約録画の重複を解消できる。
【発明を実施するための最良の形態】
【００６９】
以下、本発明の実施の形態を添付の図面を参照し、より詳細に説明する。図１は本発明の全ての実施形態に係る録画制御装置のブロック図を示すものである。図１において、１は録画制御装置、２はチューナ部、３は番組情報取得部、４は録画制御部、５は予約情報蓄積部、６は放送局番組情報、７は表示制御部、８は操作部、９は記録媒体、１０は予約録画未完了情報蓄積部、１１は表示部、１２は受信部である。
【００７０】
すなわち録画制御装置１は、放送信号を受信する受信部１２と、受信部１２により受信した放送信号を選局するチューナ部２と、チューナ部２で選局された放送信号に含まれる電子番組情報を取得する番組情報取得部３と、ユーザからの入力を受ける操作部８と、操作部８で受けたユーザからの操作により、電子番組表を用いて登録した複数の予約情報を登録する予約情報蓄積部５と、予約情報蓄積部５に登録されている予約情報に基づき、予約録画を実施し、記録媒体９に録画する録画制御部４と、予約録画の重複を検出したことにより予約録画が実施できない予約情報を予約録画実施不可情報として蓄積する予約録画未完了情報蓄積部１０と、番組情報取得部３で得られた電子番組情報を基に電子番組表（ＥＰＧ）を構築して表示部１１に表示しおよび予約情報蓄積部５に蓄積されている予約情報を予約登録リストとして表示部１１に表示する表示制御部７とを備える。
（実施形態１）
以下、請求項２記載の自動予約録画方法の第１の実施形態について図１〜図７に基づいて説明する。
【００７１】
図２は第１の実施形態において、予約録画の重複を解消する例である。図２において、２０ａは７時３０分から９時３０分までＣＨ１で放送予定の映画、２１ａは７時から８時までＣＨ２で放送予定のドラマ、２２ａは９時から１０時までＣＨ４で放送予定のドラマである。
【００７２】
ドラマ２１ａ、２２ａの予約情報が既に登録されている状態において、映画２０ａの予約情報を登録すると、録画重複検出工程によって、予約録画の重複が検出できる。
【００７３】
録画優先順位決定工程により予約録画の重複数による録画の優先順位を設定する。映画２０ａはドラマ２１ａおよび２２ａと予約録画の重複が検出できるため、予約録画の重複数は２であり、ドラマ２１ａおよび２２ａはそれぞれ映画２０ａと予約録画の重複が検出できるため、それぞれ予約録画の重複数は１であり、映画２０ａの予約録画の重複数がドラマ２１ａ、２２ａの予約録画の重複数より多いため、映画２０ａの録画の優先順位をドラマ２１ａ、２２ａの録画の優先順位よりも低く設定する。
【００７４】
録画の優先順位を低く設定した映画２０ａについて再放送検出工程により、電子番組情報を用いて、再放送の検出を行う。映画２０ａの再放送が検出できない場合は、予約録画未完了情報蓄積工程により、映画２０ａは予約録画未実施情報として予約録画未完了情報蓄積部１０に蓄積されるが、図３のように映画２０ａの再放送である映画２０ｂが検出できた場合、映画２０ａの予約情報を映画２０ｂの予約情報に自動的に変更すると予約録画の重複は解消される。
【００７５】
上記実施形態とは異なり、図４において２３ａは２２時から２３時までＣＨ５で放送予定のアニメである。アニメ２３ａの予約情報が既に登録されている場合、再放送検出工程により、映画２０ａの再放送である映画２０ｂが検出できた場合、映画２０ａの予約情報を映画２０ｂの予約情報に自動的に変更すると録画重複検出工程によって、予約録画の重複が検出できる。
【００７６】
このような場合、録画優先順位決定工程により録画の優先順位を設定する。映画２０ａはドラマ２１ａおよび２２ａと予約録画の重複が検出できるため、予約録画の重複数は２であり、映画２０ｂはアニメ２３ａと予約録画の重複が検出できるため、予約録画の重複数は１であるため、映画２０ａの録画の優先順位を映画２０ｂの録画の優先順位よりも低く設定する。録画の優先順位を低く設定した映画２０ａの予約情報を映画２０ｂの予約情報に自動的に変更する。
【００７７】
映画２０ａの予約情報を映画２０ｂの予約録画に変更したことにより、録画重複検出工程により予約録画の重複が検出され、録画優先順位決定工程により、既に登録されているアニメ２３ａの録画の優先順位を映画２０ｂの録画の優先順位よりも低く設定する。再放送検出工程によって、録画の優先順位を低く設定したアニメ２３ａの再放送の検出を行う。図５のようにアニメ２３ａの再放送であるアニメ２３ｂが検出できた場合、アニメ２３ａの予約情報をアニメ２３ｂの予約情報に自動的に変更すると、予約録画の重複は解消される。
【００７８】
上記実施形態とは異なり、図６のようにアニメ２３ａの再放送であるアニメ２３ｂが放送される時間に既に音楽２４ａの予約情報が登録されている場合、アニメ２３ａの予約情報を２３ｂの予約情報に自動的に変更すると録画重複検出工程によって、予約録画の重複が検出できる。録画優先順位決定工程により、録画の優先順位を設定すると、アニメ２３ａは映画２０ｂと予約録画の重複が検出できるため、予約録画の重複数は１であり、アニメ２３ｂは音楽２４ａと予約録画の重複が検出できるため、予約録画の重複数は１である。アニメ２３ａと２３ｂの両者の予約録画の重複数は等しいため、アニメ２３ａの予約情報をアニメ２３ｂの予約情報に変更せず、予約録画未完了情報蓄積工程により、アニメ２３ｂの予約情報を予約録画実施不可情報として予約録画未完了情報蓄積部１０に蓄積することで、予約録画の重複は解消される。
【００７９】
図７に示すフローチャートは請求項２記載の自動予約録画方法を表したものである。図７において、予約情報を登録すると、録画重複検出工程により、予約録画の重複が検出できない場合には予約情報の登録を終了する（Ｓ３０のＮｏ）。
【００８０】
録画重複検出工程において、予約録画の重複を検出した場合（Ｓ３０のＹｅｓ）、録画優先順位決定工程において、予約録画の重複数による録画の優先順位を設定する（Ｓ３１、Ｓ３２）。録画の優先順位を低く設定した予約情報は、再放送検出工程により、再放送の検出を行う（Ｓ３３）。
【００８１】
再放送が検出できた場合（Ｓ３４のＹｅｓ）、再放送が放送される時間に予約録画の重複が検出できない場合（Ｓ３５のＮｏ）、予約情報を変更することで予約情報の登録を終了する（Ｓ３６）。
【００８２】
再放送が検出できない場合（Ｓ３４のＮｏ）、または再放送が検出でき（Ｓ３４のＹｅｓ）、再放送が放送される時間に既に他の予約情報が登録されており、予約情報を変更すると予約録画の重複が検出され（Ｓ３５のＹｅｓ）、録画の優先順位を低く設定した予約情報の予約録画の重複数より再放送が放送される時間に変更した場合の予約情報の予約録画の重複数が多い場合、または両者の予約録画の重複数が等しい場合（Ｓ３７のＹｅｓ、Ｓ３８のＮｏ）、予約録画実施不可情報として予約録画未完了情報蓄積部に蓄積し、予約情報の登録を終了する（Ｓ４２）。
【００８３】
再放送が検出でき（Ｓ３４のＹｅｓ）、再放送が放送される時間に既に他の予約情報が登録されており、予約情報を変更すると予約録画の重複が検出され（Ｓ３５のＹｅｓ）、録画の優先順位を低く設定した予約情報の予約録画の重複数より再放送が放送される時間に変更した場合の予約情報の予約録画の重複数が少ない場合（Ｓ３７のＹｅｓ、Ｓ３８のＹｅｓ）、再放送が放送される時間に予約情報を変更する（Ｓ３９）。この場合、予約情報の変更をすることにより、既に登録されている予約情報の録画の優先順位を再放送の録画の優先順位よりも低く設定する（Ｓ４０、Ｓ４１）。
【００８４】
再放送が検出でき（Ｓ３４のＹｅｓ）、再放送が放送される時間に既に他の予約情報が登録されており、予約情報を変更すると予約録画の重複が検出され（Ｓ３５のＹｅｓ）、既に一度、予約変更を実施している場合（Ｓ３７のＮｏ）、予約録画実施不可情報として予約録画未完了情報蓄積部に蓄積し、予約情報の登録を終了する（Ｓ４２）。
【００８５】
以上のように、自動予約録画方法を実施することで、予約録画の重複を検出したことにより再放送を検出し、再放送が放送される時間に予約情報を変更することでさらに予約の重複が検出できるという工程を繰り返すことのなく、予約録画の重複を解消し、複数の予約情報の予約録画を実施できる。
（実施形態２）
以下、請求項２記載の自動予約録画方法の第２の実施形態について図８および図９に基づいて説明する。図８は第２の実施形態において、再放送を検出する例である。図８において、５０ａは７時３０分から９時３０分までＣＨ１で放送予定のドラマ、５１ａは７時から８時までＣＨ２で放送予定のニュース、５２ａは９時から１０時までＣＨ４で放送予定の映画である。
【００８６】
ニュース５１ａ、５２ａの予約情報が既に登録されている状態において、ドラマ５０ａの予約情報を登録すると、録画重複検出工程によって、予約録画の重複が検出できる。
【００８７】
録画優先順位決定工程により予約録画の重複数による録画の優先順位を設定する。ドラマ５０ａはニュース５１ａおよび５２ａと予約録画の重複が検出できるため、予約録画の重複数は２であり、ニュース５１ａおよび５２ａはそれぞれドラマ５０ａと予約録画の重複が検出できるため、それぞれ予約録画の重複数は１であり、ドラマ５０ａの予約録画の重複数がニュース５１ａ、５２ａの予約録画の重複数より多いため、ドラマ５０ａの録画の優先順位をニュース５１ａ、５２ａの録画の優先順位よりも低く設定する。
【００８８】
録画の優先順位を低く設定したドラマ５０ａについて再放送検出工程により、電子番組情報を用いて、再放送の検出を行う。
【００８９】
電子番組情報に含まれる情報から再放送を検出する際、図９のように５０ａと番組のタイトルが全て一致する音楽５０ｂ、ドラマ５０ｃ、５０ｄが存在する。
【００９０】
再放送検出工程において、再放送を検出する場合、音楽５０ｂは再放送を示す識別子があり、ドラマ５０ａと番組タイトル、放送時間は一致する。しかし、ドラマ５０ａの番組のジャンルはドラマであるが、音楽５０ｂの番組のジャンルは音楽である。また、ドラマ５０ａの系列局はＣＨ５であるが、音楽５０ｂの系列局はＣＨ７である。したがって、番組のジャンル、系列局が一致しないため、音楽５０ｂはドラマ５０ａの再放送ではない。５０ｃは再放送を示す識別子はないが、ドラマ５０ａと番組タイトル、番組のジャンル、系列局は一致する。しかし、ドラマ５０ａの放送時間は２時間であるが、ドラマ５０ｃの放送時間は１時間であるため、５０ｃはドラマ５０ａの再放送ではない。ドラマ５０ｄは再放送を示す識別子はないが、ドラマ５０ａと番組タイトル、番組のジャンル、放送時間、系列局が一致しているため、ドラマ５０ｄはドラマ５０ａの再放送として検出できる。
【００９１】
以上のようにこの実施形態によれば、再放送検出工程において、再放送を示す識別子がない場合でも、より確度の高い再放送の検出が実施できる。
（実施形態３）
以下、請求項３記載の自動予約録画方法の第３の実施形態について図１０〜図１３に基づいて説明する。図１０は第３の実施形態において電子番組情報に含まれる番組のジャンル、再放送を示す識別子、番組の放送形式（有料放送）毎に再放送が行われる頻度を想定し、一般的に再放送が行われやすい予約情報の録画の優先順位を低く設定した例であり、図１１は、図１０に示す録画の優先順位を満たすように定めた録画の優先度である。
【００９２】
図１１における録画の優先度は、主項目である番組のジャンルの録画の優先度と補助項目である再放送を示す識別子、放送形式（有料放送）との合計によって算出する。録画の優先度が低いほど、再放送が行われやすいとして、録画の優先順位を低く設定する。また、この録画の優先度によって、番組のジャンル毎に再放送を検出する期間を定めている。
【００９３】
以下、録画優先順位決定工程として、図１１の録画の優先度を用いて録画の優先順位を設定する。
【００９４】
図１２は第1の実施形態において予約録画の重複を解消する例である。図１２において、６０ａは７時３０分から９時３０分までＣＨ１で放送予定の野球中継、６１ａは７時から８時までＣＨ２で放送予定の映画である。
【００９５】
野球中継６０ａの予約情報が既に登録されている状態において、映画６１ａの予約情報を登録すると、録画重複検出工程によって、予約録画の重複が検出できる。
【００９６】
図１１より予約情報毎の録画の優先度を算出すると、番組のジャンルがスポーツである野球中継６０ａの録画の優先度は＋１０となり、番組のジャンルが映画６１ａの録画の優先度は−３となるため、映画６１ａの録画の優先順位を野球中継６０ａの録画の優先順位よりも低く設定する。録画の優先順位を低く設定した映画６１ａについて再放送検出工程により再放送の検出を行う。図１３のように映画６１ａの再放送である映画６１ｂが検出できた場合、映画６１ａの予約情報を映画６１ｂの予約情報に自動的に変更すると、予約録画の重複は解消される。
【００９７】
以上のようにこの実施形態によれば、予約録画の重複を解消し、複数の予約情報の予約録画を実施できる。
（実施形態４）
以下、請求項３記載の自動予約録画方法の第４の実施形態について図１４〜図１６に基づいて説明する。図１４は第４の実施形態において予約録画の重複を解消する例である。図１４において、７０ａは７時３０分から９時３０分までＣＨ１で放送予定のドラマ、７１ａは７時から８時までＣＨ２２で放送予定の有料放送の映画である。
【００９８】
ドラマ７０ａの予約情報が既に登録されている場合において、映画７１ａの予約情報を登録すると、録画重複検出工程によって、予約録画の重複が検出できる。
【００９９】
第３の実施形態の図１１より予約情報毎の録画の優先度を算出すると、番組のジャンルがドラマ７０ａの録画の優先度は−２となり、番組のジャンルが映画で、放送形式が有料放送である映画７１ａの録画の優先度は＋３となるため、ドラマ７０ａの録画の優先順位を映画７１ａの録画の優先順位よりも低く設定する。
【０１００】
録画の優先順位を低く設定したドラマ７０ａについて再放送検出工程により再放送を検出した結果、図１５のようにドラマ７０ａの再放送であるドラマ７０ｂが検出できた場合、ドラマ７０ａの予約情報をドラマ７０ｂの予約情報に自動的に変更すると、予約録画の重複は解消される。
【０１０１】
図１６に示すフローチャートは請求項３記載の自動予約録画方法を表したものである。図１６において、予約情報を登録すると、録画重複検出工程により、予約録画の重複が検出できない場合には予約情報の登録を終了する（Ｓ８０のＮｏ）。
【０１０２】
録画重複検出工程において、予約録画の重複を検出した場合（Ｓ８０のＹｅｓ）、録画優先順位決定工程において、番組のジャンル、再放送を示す識別子、番組の放送形式（有料放送）毎の再放送が行われる頻度によって定めた条件により録画の優先順位が設定される（Ｓ８１）。録画の優先順位を低く設定した予約情報は、再放送検出工程により、再放送の検出を行う（Ｓ８２）。
【０１０３】
再放送が検出できた場合（Ｓ８３のＹｅｓ）、再放送が放送される時間に既に他の予約情報が存在しない場合（Ｓ８４のＮｏ）、予約情報を変更し（Ｓ８５）、予約録画の重複が残っていない場合、予約情報の登録を終了する（Ｓ８７のＮｏ）。
【０１０４】
再放送が検出できない場合（Ｓ８３のＮｏ）、再放送が放送される時間に予約情報を変更すると予約録画の重複が検出できる場合（Ｓ８４のＹｅｓ）、録画の優先順位を低く設定した予約情報を予約録画実施不可情報として予約録画未完了情報蓄積部に蓄積し（Ｓ８６）、予約録画の重複が残っていない場合、予約情報の登録を終了する（Ｓ８７のＮｏ）。
【０１０５】
予約情報を登録した時点で複数の予約録画の重複が検出できた場合、予約録画の重複が残っている場合がある（Ｓ８７のＹｅｓ）。しかし、予約情報を登録した時点よりも予約録画の重複は必ず減少するため、予約録画の重複を検出したことにより再放送を検出し、再放送が放送される時間に予約情報を変更するという工程を繰り返すことはない。
【０１０６】
以上のようにこの実施形態によれば、予約録画の重複を検出したことにより再放送を検出し、再放送が放送される時間に予約情報を変更するという工程を繰り返すことのなく、予約録画の重複を解消し、複数の予約情報の予約録画を実施できる。
（実施形態５）
以下、請求項４記載の自動予約録画方法の第５の実施形態について図１７および図１８に基づいて説明する。図１７は第５の実施形態において予約録画の重複が検出でき、録画優先順位決定工程において録画の優先順位を低く設定した予約情報の再放送の検出を行った結果を番組のジャンル毎に集計したものである。
【０１０７】
図１７に示す再放送の検出結果において再放送検出回数だけ録画の優先度を下げ、再放送未検出回数だけ録画の優先度を上げると、図１８のように再放送の検出結果を学習した録画の優先度が得られる。第３の実施形態の図１１において番組のジャンルがバラエティーである録画の優先度は番組のジャンルが音楽である録画の優先度よりも低く設定されていたが、再放送の検出結果を学習したことにより、図１８のように番組のジャンルがバラエティーである録画の優先度は番組のジャンルが音楽である録画の優先度よりも高く設定される。
【０１０８】
以上のようにこの実施形態によれば、再放送検出工程における再放送の検出結果を学習させていくことで、より再放送を検出できる確度の高い録画の優先順位を設定することができる。
（実施形態６）
以下、請求項５および請求項６記載の自動予約録画方法の第６の実施形態について図１９〜図２２に基づいて説明する。図１９は第６の実施形態の自動予約録画方法の実施形態において、予約録画の重複を解消する例である。図１９において、９０ａは７時３０分から９時３０分までＣＨ１２で放送予定の有料放送のドラマ、９１ａは７時から８時までＣＨ２で放送予定のドラマである。
【０１０９】
ドラマ９０ａの予約情報が既に登録されている状態において、予約録画を毎日実施するようにドラマ９１ａの予約情報を登録すると、録画重複検出工程によって予約録画の重複が検出できる。
【０１１０】
予約録画を毎日実施するように予約情報を登録した場合、予約情報に含まれる録画開始時間から１日後までの電子番組情報から再放送を検出できる可能性は低いため、録画の優先順位を高く設定する。
【０１１１】
再放送検出工程において、図２０のように録画の優先順位を低く設定したドラマ９０ａの再放送であるドラマ９０ｂが検出できた場合、ドラマ９０ａの予約情報をドラマ９０ｂの予約情報に自動的に変更すると、予約録画の重複は解消される。
【０１１２】
以上のように、この実施形態によれば、予約録画を毎日実施するように登録した予約情報の録画の優先度を高く設定し、予約録画を優先して実施する。
【０１１３】
上記実施形態とは異なり、図２１に示すように、ドラマ９２ａの予約情報が既に登録されている状態において、予約録画を毎日実施するようにドラマ９３ａの予約情報を登録すると、録画重複検出工程によって予約録画の重複が検出できる。
【０１１４】
第３の実施形態の図１１より予約情報毎の録画の優先度を算出すると、番組のジャンルがドラマ、放送形式が有料放送であるドラマ９２ａの録画の優先度は＋４であり、番組ジャンルがドラマ９３ａの録画の優先度は−３であるため、ドラマ９３ａの録画の優先順位をドラマ９２ａよりも低く設定する。録画の優先順位を低く設定したドラマ９３ａについて再放送検出工程により再放送の検出を行う。
【０１１５】
ドラマ９３ａの放送開始時間から１週間後に相当する９３ｂの放送開始時間までの電子番組情報から録画の優先順位の低いドラマ９３ａの再放送が検出できなかった場合、ドラマ９３ａの録画の優先順位をドラマ９２ａよりも高くなるように再度設定し、録画の優先順位を低く設定したドラマ９２ａについて再放送検出工程により再放送の検出を行う。
【０１１６】
図２２のように、ドラマ９２ａの再放送であるドラマ９２ｂが検出できた場合、ドラマ９２ａの予約情報をドラマ９２ｂの予約情報に自動的に変更する。
【０１１７】
以上のように、この自動予約録画方法の実施形態によれば、予約録画を毎週実施するように登録した予約情報の録画の優先順位を低く設定した場合、その予約情報に含まれる録画開始時間から１週間後までの電子番組情報において、再放送が検出できない場合、または再放送の検出はできたが予約情報を再放送が放送される時間に変更すると予約録画の重複が検出できる場合、録画の優先順位が高くなるように再度設定する。
（実施形態７）
以下、請求項７、請求項８、請求項９記載の自動予約録画方法の第７の実施形態について図２３〜図２６に基づいて説明する。図２３は第７の実施形態において予約録画の重複を解消する例である。図２３において、１００ａは７時３０分から９時３０分までＣＨ１で放送予定の野球中継、１０１ａは７時から８時までＣＨ２で放送予定のドラマである。
【０１１８】
野球中継１００ａの予約情報が既に登録されている状態において、ドラマ１０１ａの予約情報を登録すると、録画重複検出工程によって、予約録画の重複が検出できる。
【０１１９】
第３の実施形態の図１１より予約情報毎の録画の優先度を算出すると、番組のジャンルがスポーツである野球中継１００ａの録画の優先度は＋１０となり、番組のジャンルがドラマ１０１ａの録画の優先度は−２となるため、ドラマ１０１ａの録画の優先順位を野球中継１００ａの録画の優先順位よりも低く設定する。
【０１２０】
再放送検出工程により、録画の優先順位を低く設定したドラマ１０１ａの再放送の検出を行った結果、ドラマ１０１ａの再放送が検出できなかった場合、予約録画未完了情報蓄積工程によりドラマ１０１ａの予約情報は予約録画実施不可情報として予約録画未完了情報蓄積部に蓄積される。
【０１２１】
このような状態において、電子番組情報が更新された場合、予約録画未完了情報蓄積部に蓄積されている予約録画実施不可情報の再放送を検出する。図２４のように予約録画実施不可情報として予約録画未完了情報蓄積部に蓄積されているドラマ１０１ａの再放送であるドラマ１０１ｂが検出できた場合、ドラマ１０１ａの予約録画実施不可情報をドラマ１０１ｂの予約情報として自動的に登録することで、予約登録時の再放送検出工程において、再放送が検出できなかった予約情報についても予約録画を実施できる。
【０１２２】
上記実施形態とは異なり、図２５のように予約録画未完了情報蓄積部に蓄積可能な最大数が４であり、予約録画実施不可情報１０２ａ、１０３ａ、１０４ａ、１０５ａが既に蓄積されている場合、予約録画未完了情報蓄積工程においてドラマ１０１ａの予約録画実施不可情報を予約録画未完了情報蓄積部に蓄積すると、予約録画未完了情報蓄積部に蓄積可能な最大数である４を超過する。このように予約録画未完了情報蓄積部に蓄積可能な最大数を超過した場合、前記録画優先順位決定工程による録画の優先順位の設定を行う。図１１より予約録画実施不可情報毎の録画の優先度を算出すると、番組のジャンルがドラマ１０１ａの録画の優先度は−２であり、番組のジャンルがアニメ１０２ａの録画の優先度は−１であり、番組のジャンルが映画１０３ａの録画の優先度は−３であり、番組のジャンルがバラエティー１０４ａの録画の優先度は＋１であり、番組のジャンルが音楽１０５ａの録画の優先度は＋２であるため、１０３ａの録画の優先順位をドラマ１０１ａ、アニメ１０２ａ、バラエティー１０４ａ、音楽１０５ａの録画の優先順位よりも低く設定する。録画の優先順位を低く設定した映画１０３ａを予約録画未完了情報蓄積部から自動的に削除することで、予約録画実施不可情報が予約録画未完了情報蓄積部に蓄積可能な最大数を超過することはない。
【０１２３】
上記実施形態とは異なり、図２６のように予約録画未完了情報蓄積部に蓄積された日付が３月３０日であるアニメ１０６ａが蓄積されている。このような状態において、図１１に示す番組のジャンル毎に定めた再放送の検出期間中に再放送が検出できない場合、予約録画未完了情報蓄積部から自動的に削除する。今回の実施形態において、番組のジャンルがアニメ１０６ａの再放送の検出期間は1ヶ月であり、予約録画未完了情報蓄積部に蓄積された日付の１ヶ月後である４月３０日までにアニメ１０６ａの再放送が検出できない場合、アニメ１０６ａを予約録画未完了情報蓄積部から自動的に削除することで、予約録画実施不可情報が長期間に渡り予約録画未完了情報蓄積部に蓄積されることはなくなる。
【０１２４】
以上のようにこの実施形態によれば、再放送検出工程において、再放送が検出できない予約情報についても定期的に再放送の検出を行い、再放送が検出できれば、予約録画を実施できる。
（実施形態８）
以下、請求項１０、請求項１１、請求項１２記載の自動予約録画方法の第８の実施形態について図２７〜図２９に基づいて説明する。
【０１２５】
図２７は第１の実施形態のように録画重複検出工程により予約録画の重複を検出した場合、録画優先順位決定工程により録画の優先順位を低く設定した予約情報の再放送が再放送検出工程によって検出できた場合、自動予約変更工程により予約情報を再放送が放送される時間に自動的に変更した場合、予約情報の自動変更が実施されたことをユーザに知らせるアイコンおよびメッセージを表示した電子番組表である。
【０１２６】
図２８は第７の実施形態の自動予約変更工程において、予約録画実施不可情報として予約録画未完了情報蓄積部に蓄積されている予約情報が電子番組情報の更新時に再放送検出工程により検出できた再放送が放送される時間に自動的に予約登録された場合、予約情報が自動的に登録されたことをユーザに知らせるアイコンを表示した予約登録リストである。
【０１２７】
図２９は第７の実施形態の予約録画未完了情報蓄積工程によって、予約録画実施不可情報として蓄積されている予約情報が番組のジャンル毎に定めた再放送の検出期間に再放送が検出できなかった場合において、予約録画未完了情報蓄積部から削除されたことをユーザに知らせるメッセージを表示した予約登録リストである。
【０１２８】
以上のようにこの実施形態によれば、予約録画の重複を検出した場合に予約情報が自動的に変更されたことおよび、予約録画実施不可情報が削除されたことを表示する。
（実施形態９）
以下、請求項１３記載の自動予約録画方法の第９の実施形態について図３０および図３１に基づいて説明する。放送信号に含まれる電子番組情報は、８日分の情報しか持たないため、電子番組情報を用いて再放送の検出を行う場合、検出可能な期間が限られている。
【０１２９】
電子番組情報は放送局から提供されたものであり、放送局の持つ放送局番組情報は電子番組情報よりも長期間の情報を所持している。そこで、第１の実施形態の図１のようなインターネット等の通信方法によって放送局の持つ放送局番組情報へ直接アクセスすることが可能な自動予約録画装置において、再放送検出工程で再放送を検出できなかった場合、放送局の持つ放送局番組情報へ直接アクセスし、放送局番組情報に含まれる再放送を示す識別子、番組タイトル、番組のジャンル、放送時間、系列局などの一致から再放送を検出することで、より長期間の情報に対し再放送の検出を行えるようになる。
【０１３０】
図３０は第９の実施形態において予約録画の重複を解消する例である。図３０において、１１０ａは７時３０分から９時３０分までＣＨ１で放送予定のドラマ、１１１ａは７時から８時までＣＨ２で放送予定の映画である。
【０１３１】
ドラマ１１０ａの予約が既に登録されている場合において、映画１１１ａの予約を登録すると、録画重複検出工程によって、予約録画の重複が検出できる。
【０１３２】
図１１より各予約情報の録画の優先度を算出すると、番組のジャンルがドラマ１１０ａの録画の優先度は−２となり、番組のジャンルが映画１１１ａの録画の優先度は−３となるため、映画１１１ａの録画の優先順位をドラマ１１０ａの録画の優先順位よりも低く設定する。
【０１３３】
録画の優先順位を低く設定した映画１１１ａについて、再放送検出工程により再放送を検出した結果、再放送が検出できない場合、再放送検出工程により、放送局の持つ放送局番組情報へ直接アクセスして再放送の検出を行う。図３１のように、映画１１１ａの再放送である映画１１１ｂが検出できた場合、映画１１１ａの予約情報を映画１１１ｂの予約情報に自動的に変更すると、予約録画の重複は解消される。
【０１３４】
以上のようにこの実施形態によれば、電子番組情報による再放送の検出ができなかった場合、放送局の持つ放送局番組情報に直接アクセスすることで、より長期間の再放送の検出を行うことができる。
【産業上の利用可能性】
【０１３５】
本発明に係る自動予約録画方法および装置は、予約録画の重複を検出した場合、録画の優先順位の設定および再放送の検出により予約情報を自動的に変更することで予約録画の重複を解消でき、電子番組情報の更新時に再放送の検出を行い、再放送が検出できた場合、自動的に予約情報を登録することで、録画の優先順位を低く設定した予約情報に対しても予約録画を実施でき、複数の予約情報を基に映像および音声を録画する自動予約録画方法および装置として有用である。
【図面の簡単な説明】
【０１３６】
【図１】本発明に係る自動予約録画装置のブロック図。
【図２】実施形態１における予約録画の重複の検出を示す図。
【図３】実施形態１における再放送の検出を示す図。
【図４】実施形態１における再放送の検出を示す図。
【図５】実施形態１における再放送の検出を示す図。
【図６】実施形態１における再放送の検出を示す図。
【図７】予約録画の重複数による自動予約録画方法を示す図。
【図８】実施形態２における予約録画の重複の検出を示す図。
【図９】実施形態２における番組タイトルが一致する複数の電子番組情報を示す図。
【図１０】再放送が行われる頻度を条件とした録画の優先順位を示す図。
【図１１】録画の優先順位を設定するための条件として定めた録画の優先度を示す図。
【図１２】実施形態３における予約録画の重複の検出を示す図。
【図１３】実施形態３における再放送の検出を示す図。
【図１４】実施形態４における予約録画の重複の検出を示す図。
【図１５】実施形態４における再放送の検出を示す図。
【図１６】再放送が行われる頻度を条件とした自動予約録画方法を示す図。
【図１７】実施形態５における再放送の検出結果の集計結果を示す図。
【図１８】実施形態５における録画の優先度を学習した結果を示す図。
【図１９】実施形態６における予約録画の重複の検出を示す図。
【図２０】実施形態６における再放送の検出を示す図。
【図２１】実施形態６における予約録画の重複の検出を示す図。
【図２２】実施形態６における録画の優先順位の変更と再放送の検出を示す図。
【図２３】実施形態７における予約録画の重複の検出を示す図。
【図２４】実施形態７における定期的な再放送の検出を示す図。
【図２５】実施形態７における予約録画実施不可情報が蓄積数を超過したことを示す図。
【図２６】実施形態７における蓄積されている予約録画実施不可情報を示す図。
【図２７】実施形態８における予約情報の変更を知らせている電子番組表を示す図。
【図２８】実施形態８における予約情報の登録を知らせている予約登録リストを示す図。
【図２９】実施形態８における予約情報の削除を知らせている予約登録リストを示す図。
【図３０】実施形態９における予約録画の重複の検出を示す図。
【図３１】実施形態９における再放送の検出を示す図。
【符号の説明】
【０１３７】
１  録画制御装置
２  チューナ部
３  番組情報取得部
４  録画制御部
５  予約情報記録部
６  放送局番組情報
７  表示制御部
８  操作部
９  記録媒体
１０  予約録画未完了情報蓄積部
１１  表示部
１２  受信部
【図１】
2007067804.tif 000003
【図２】
2007067804.tif 000004
【図３】
2007067804.tif 000005
【図４】
2007067804.tif 000006
【図５】
2007067804.tif 000007
【図６】
2007067804.tif 000008
【図７】
2007067804.tif 000009
【図８】
2007067804.tif 000010
【図９】
2007067804.tif 000011
【図１０】
2007067804.tif 000012
【図１１】
2007067804.tif 000013
【図１２】
2007067804.tif 000014
【図１３】
2007067804.tif 000015
【図１４】
2007067804.tif 000016
【図１５】
2007067804.tif 000017
【図１６】
2007067804.tif 000018
【図１７】
2007067804.tif 000019
【図１８】
2007067804.tif 000020
【図１９】
2007067804.tif 000021
【図２０】
2007067804.tif 000022
【図２１】
2007067804.tif 000023
【図２２】
2007067804.tif 000024
【図２３】
2007067804.tif 000025
【図２４】
2007067804.tif 000026
【図２５】
2007067804.tif 000027
【図２６】
2007067804.tif 000028
【図２７】
2007067804.tif 000029
【図２８】
2007067804.tif 000030
【図２９】
2007067804.tif 000031
【図３０】
2007067804.tif 000032
【図３１】
2007067804.tif 000033